(57)【特許請求の範囲】
【請求項１】
データキャリアが付与されている販売商品を購入したエンドユーザに所定のサービス処理を提供するためのデータ処理装置であって、
前記データキャリアに前記販売商品の個体ごとに登録されているサービスＩＤ（Identity）データを受信するデータ受信手段と、
前記サービスＩＤデータの受信に対応して所定のサービス処理を実行するサービス実行手段と、
前記エンドユーザに携帯される前記ユーザ携帯端末に登録されている端末ＩＤデータと前記サービスＩＤデータとを所定のサービス停止要求とともに受信する停止受信手段と、
前記サービス停止要求と前記端末ＩＤデータと前記サービスＩＤデータとの受信に対応して、受信された該端末ＩＤデータ及び該サービスＩＤデータを保持すると共に、前記サービス処理を禁止するサービス禁止手段と、
前記サービス処理が禁止されている状態で前記データキャリアから前記ユーザ携帯端末で取得された前記サービスＩＤデータを前記端末ＩＤデータおよび所定のサービス再開要求とともに受信する再開受信手段と、
前記サービス再開要求とともに受信された前記端末ＩＤデータおよび前記サービスＩＤデータが前記サービス停止要求とともに受信され保持された前記端末ＩＤデータおよび前記サービスＩＤデータと一致するか否かを確認し、一致しない場合には前記サービス処理の禁止を解除せず、一致する場合には前記サービス処理の禁止を解除する禁止解除手段と、
を有するデータ処理装置。
【請求項２】
前記サービス実行手段は、前記サービス再開要求を送信した前記ユーザ携帯端末に前記サービス処理を実行する請求項１に記載のデータ処理装置。
【請求項３】
前記停止受信手段は、前記ユーザ携帯端末から前記サービス停止要求と前記端末ＩＤデータと前記サービスＩＤデータとを受信する請求項１または２に記載のデータ処理装置。
【請求項４】
前記停止受信手段は、前記販売商品を販売処理する販売処理端末から前記サービス停止要求と前記端末ＩＤデータと前記サービスＩＤデータとを受信する請求項１に記載のデータ処理装置。
【請求項５】
前記販売商品の販売処理のために前記販売処理端末で前記データキャリアから取得された前記サービスＩＤデータを前記サービス停止要求とともに受信する請求項４に記載のデータ処理装置。
【請求項６】
前記販売商品の販売処理のために前記販売処理端末で前記ユーザ携帯端末から取得された前記端末ＩＤデータを前記サービス停止要求とともに受信する請求項４または５に記載のデータ処理装置。
【請求項７】
データキャリアが付与されている販売商品を購入したエンドユーザに所定のサービス処理を提供するためのデータ処理システムであって、
請求項１ないし６の何れか一項に記載のデータ処理装置と、
付与されている前記販売商品の個体ごとに前記サービスＩＤデータが記録されている前記データキャリアと、
前記データキャリアから取得する前記サービスＩＤデータと登録されている前記端末ＩＤデータと前記サービス再開要求とを前記データ処理装置に送信する前記ユーザ携帯端末と、
を有するデータ処理システム。
【請求項８】
データキャリアが付与されている販売商品を購入したエンドユーザに所定のサービス処理を提供するためのデータ処理システムであって、
請求項３に記載のデータ処理装置と、
付与されている前記販売商品の個体ごとに前記サービスＩＤデータが記録されている前記データキャリアと、
前記データキャリアから取得する前記サービスＩＤデータと登録されている前記端末ＩＤデータと前記サービス停止要求とを前記データ処理装置に送信するとともに、前記データキャリアから取得する前記サービスＩＤデータと登録されている前記端末ＩＤデータと前記サービス再開要求とを前記データ処理装置に送信する、前記ユーザ携帯端末と、
を有するデータ処理システム。
【請求項９】
データキャリアが付与されている販売商品を購入したエンドユーザに所定のサービス処理を提供するためのデータ処理システムであって、
請求項６に記載のデータ処理装置と、
付与されている前記販売商品の個体ごとに前記サービスＩＤデータが記録されている前記データキャリアと、
前記販売処理を実行して前記データキャリアから取得する前記サービスＩＤデータと前記ユーザ携帯端末から取得する前記端末ＩＤデータと前記サービス停止要求とを前記データ処理装置に送信する前記販売処理端末と、
前記データキャリアから取得する前記サービスＩＤデータと登録されている前記端末ＩＤデータと前記サービス再開要求とを前記データ処理装置に送信する前記ユーザ携帯端末と、
を有するデータ処理システム。
【請求項１０】
前記データキャリアは、前記販売商品ごとに販売処理に必要な商品データも登録されており、
前記販売処理端末は、前記データキャリアから前記商品データを取得するとともに前記サービスＩＤデータも取得する請求項９に記載のデータ処理システム。
【請求項１１】
前記データキャリアは、前記販売商品の個体ごとに前記サービスＩＤデータが登録されているＲＦＩＤ（Radio Frequency Identification）チップからなる請求項７ないし１０の何れか一項に記載のデータ処理システム。
【請求項１２】
請求項７に記載のデータ処理システムのユーザ携帯端末であって、
前記データキャリアから取得する前記サービスＩＤデータと登録されている前記端末ＩＤデータと前記サービス再開要求とを前記データ処理装置に送信するユーザ携帯端末。
【請求項１３】
請求項８に記載のデータ処理システムのユーザ携帯端末であって、
前記データキャリアから取得する前記サービスＩＤデータと登録されている前記端末ＩＤデータと前記サービス停止要求とを前記データ処理装置に送信するとともに、前記データキャリアから取得する前記サービスＩＤデータと登録されている前記端末ＩＤデータと前記サービス再開要求とを前記データ処理装置に送信する、ユーザ携帯端末。
【請求項１４】
前記データキャリアから取得する前記サービスＩＤデータと登録されている前記端末ＩＤデータとを前記データ処理装置に前記サービス停止要求とともに送信するか前記サービス再開要求とともに送信するかを入力操作に対応して実行する請求項１３に記載のユーザ携帯端末。
【請求項１５】
請求項９に記載のデータ処理システムの販売処理端末であって、
前記販売処理を実行して前記データキャリアから取得する前記サービスＩＤデータと前記ユーザ携帯端末から取得する前記端末ＩＤデータと前記サービス停止要求とを前記データ処理装置に送信する販売処理端末。
【請求項１６】
データキャリアが付与されている販売商品を購入したエンドユーザに所定のサービス処理を提供するためのデータ処理装置のコンピュータプログラムであって、
前記データキャリアに前記販売商品の個体ごとに登録されているサービスＩＤデータを受信するデータ受信処理と、
前記サービスＩＤデータの受信に対応して所定のサービス処理を実行するサービス実行処理と、
前記エンドユーザに携帯される前記ユーザ携帯端末に登録されている端末ＩＤデータと前記サービスＩＤデータとを所定のサービス停止要求とともに受信する停止受信処理と、
前記サービス停止要求と前記端末ＩＤデータと前記サービスＩＤデータとの受信に対応して、受信された該端末ＩＤデータ及び該サービスＩＤデータを保持すると共に、前記サービス処理を禁止するサービス禁止処理と、
前記サービス処理が禁止されている状態で前記データキャリアから前記ユーザ携帯端末で取得された前記サービスＩＤデータを前記端末ＩＤデータおよび所定のサービス再開要求とともに受信する再開受信処理と、
前記サービス再開要求とともに受信された前記端末ＩＤデータおよび前記サービスＩＤデータが前記サービス停止要求とともに受信され保持された前記端末ＩＤデータおよび前記サービスＩＤデータと一致するか否かを確認し、一致しない場合には前記サービス処理の禁止を解除せず、一致する場合には前記サービス処理の禁止を解除する禁止解除処理と、
を前記データ処理装置に実行させるコンピュータプログラム。
【請求項１７】
データキャリアが付与されている販売商品を購入したエンドユーザに所定のサービス処理を提供するためのデータ処理装置のデータ処理方法であって、
前記データキャリアに前記販売商品の個体ごとに登録されているサービスＩＤデータを受信するデータ受信工程と、
前記サービスＩＤデータの受信に対応して所定のサービス処理を実行するサービス実行工程と、
前記エンドユーザに携帯される前記ユーザ携帯端末に登録されている端末ＩＤデータと前記サービスＩＤデータとを所定のサービス停止要求とともに受信する停止受信工程と、
前記サービス停止要求と前記端末ＩＤデータと前記サービスＩＤデータとの受信に対応して、受信された該端末ＩＤデータ及び該サービスＩＤデータを保持すると共に、前記サービス処理を禁止するサービス禁止工程と、
前記サービス処理が禁止されている状態で前記データキャリアから前記ユーザ携帯端末で取得された前記サービスＩＤデータを前記端末ＩＤデータおよび所定のサービス再開要求とともに受信する再開受信工程と、
前記サービス再開要求とともに受信された前記端末ＩＤデータおよび前記サービスＩＤデータが前記サービス停止要求とともに受信され保持された前記端末ＩＤデータおよび前記サービスＩＤデータと一致するか否かを確認し、一致しない場合には前記サービス処理の禁止を解除せず、一致する場合には前記サービス処理の禁止を解除する禁止解除工程と、
を有するデータ処理方法。
【発明の詳細な説明】
【技術分野】
【０００１】
本発明は、データキャリアが付与されている販売商品を購入したエンドユーザに所定のサービス処理を提供するためのデータ処理装置およびデータ処理システム、このデータ処理システムのユーザ携帯端末および販売処理端末、データ処理装置のコンピュータプログラムおよびデータ処理方法、に関する。
【背景技術】
【０００２】
現在、商品販売を促進するために各種のサービス処理が実施されている。このようなサービス処理として、例えば、販売商品にＲＦＩＤチップなどのデータキャリアを付与しておくことが想定されている。
【０００３】
この場合、販売商品を購入したエンドユーザが携帯電話端末などのユーザ携帯端末でサービスＩＤデータを取得して所定のウェブサイトなどに送信すると、そのサービスＩＤデータに対応したサービス処理が提供される。
【０００４】
現在、上述のような技術として各種の提案がある（例えば、特許文献１〜３参照）。
【特許文献１】特開２００３−１５７４７６号公報
【特許文献２】特開２００５−２４２５３８号公報
【特許文献３】特開２００４−１３５０５８号公報
【発明の開示】
【発明が解決しようとする課題】
【０００５】
しかし、エンドユーザが購入した販売商品を持ち歩いているときに、その販売商品のデータキャリアからサービスＩＤデータがスキミングされると、サービス処理が不正に利用されることになる。
【０００６】
特に、データキャリアがＲＦＩＤチップの場合、販売商品がバックや衣服の内部などに収容されていても、そのサービスＩＤデータが電磁的に外部からスキミングされる可能性がある。
【０００７】
本発明は上述のような課題に鑑みてなされたものであり、販売商品のデータキャリアからサービスＩＤデータが悪意の第三者にスキミングされてサービス処理が不正に利用されることを防止できるデータ処理装置およびデータ処理システム、このデータ処理システムのユーザ携帯端末および販売処理端末、データ処理装置のコンピュータプログラムおよびデータ処理方法、を提供するものである。
【課題を解決するための手段】
【０００８】
本発明のデータ処理装置は、データキャリアが付与されている販売商品を購入したエンドユーザに所定のサービス処理を提供するためのデータ処理装置であって、データキャリアに販売商品の個体ごとに登録されているサービスＩＤデータを受信するデータ受信手段と、サービスＩＤデータの受信に対応して所定のサービス処理を実行するサービス実行手段と、エンドユーザに携帯されるユーザ携帯端末に登録されている端末ＩＤデータとサービスＩＤデータとを所定のサービス停止要求とともに受信する停止受信手段と、サービス停止要求と端末ＩＤデータとサービスＩＤデータとの受信に対応してサービス処理を禁止するサービス禁止手段と、サービス処理が禁止されている状態でデータキャリアからユーザ携帯端末で取得されたサービスＩＤデータを端末ＩＤデータおよび所定のサービス再開要求とともに受信する再開受信手段と、サービス再開要求とともに受信された端末ＩＤデータおよびサービスＩＤデータがサービス停止要求とともに受信された端末ＩＤデータおよびサービスＩＤデータと一致するとサービス処理の禁止を解除する禁止解除手段と、を有する。
【０００９】
本発明の第一のデータ処理システムは、データキャリアが付与されている販売商品を購入したエンドユーザに所定のサービス処理を提供するためのデータ処理システムであって、本発明のデータ処理装置と、付与されている販売商品の個体ごとにサービスＩＤデータが記録されているデータキャリアと、データキャリアから取得するサービスＩＤデータと登録されている端末ＩＤデータとサービス再開要求とをデータ処理装置に送信するユーザ携帯端末と、を有する。
【００１０】
本発明の第二のデータ処理システムは、データキャリアが付与されている販売商品を購入したエンドユーザに所定のサービス処理を提供するためのデータ処理システムであって、本発明のデータ処理装置と、付与されている販売商品の個体ごとにサービスＩＤデータが記録されているデータキャリアと、データキャリアから取得するサービスＩＤデータと登録されている端末ＩＤデータとサービス停止要求とをデータ処理装置に送信するとともに、データキャリアから取得するサービスＩＤデータと登録されている端末ＩＤデータとサービス再開要求とをデータ処理装置に送信する、ユーザ携帯端末と、を有する。
【００１１】
本発明の第三のデータ処理システムは、データキャリアが付与されている販売商品を購入したエンドユーザに所定のサービス処理を提供するためのデータ処理システムであって、本発明のデータ処理装置と、付与されている販売商品の個体ごとにサービスＩＤデータが記録されているデータキャリアと、販売処理を実行してデータキャリアから取得するサービスＩＤデータとユーザ携帯端末から取得する端末ＩＤデータとサービス停止要求とをデータ処理装置に送信する販売処理端末と、データキャリアから取得するサービスＩＤデータと登録されている端末ＩＤデータとサービス再開要求とをデータ処理装置に送信するユーザ携帯端末と、を有する。
【００１２】
本発明の第一のユーザ携帯端末は、本発明のデータ処理システムのユーザ携帯端末であって、データキャリアから取得するサービスＩＤデータと登録されている端末ＩＤデータとサービス再開要求とをデータ処理装置に送信する。
【００１３】
本発明の第二のユーザ携帯端末は、本発明のデータ処理システムのユーザ携帯端末であって、データキャリアから取得するサービスＩＤデータと登録されている端末ＩＤデータとサービス停止要求とをデータ処理装置に送信するとともに、データキャリアから取得するサービスＩＤデータと登録されている端末ＩＤデータとサービス再開要求とをデータ処理装置に送信する。
【００１４】
本発明の販売処理端末は、本発明のデータ処理システムの販売処理端末であって、販売処理を実行してデータキャリアから取得するサービスＩＤデータとユーザ携帯端末から取得する端末ＩＤデータとサービス停止要求とをデータ処理装置に送信する。
【００１５】
本発明のコンピュータプログラムは、データキャリアが付与されている販売商品を購入したエンドユーザに所定のサービス処理を提供するためのデータ処理装置のコンピュータプログラムであって、データキャリアに販売商品の個体ごとに登録されているサービスＩＤデータを受信するデータ受信処理と、サービスＩＤデータの受信に対応して所定のサービス処理を実行するサービス実行処理と、エンドユーザに携帯されるユーザ携帯端末に登録されている端末ＩＤデータとサービスＩＤデータとを所定のサービス停止要求とともに受信する停止受信処理と、サービス停止要求と端末ＩＤデータとサービスＩＤデータとの受信に対応してサービス処理を禁止するサービス禁止処理と、サービス処理が禁止されている状態でデータキャリアからユーザ携帯端末で取得されたサービスＩＤデータを端末ＩＤデータおよび所定のサービス再開要求とともに受信する再開受信処理と、サービス再開要求とともに受信された端末ＩＤデータおよびサービスＩＤデータがサービス停止要求とともに受信された端末ＩＤデータおよびサービスＩＤデータと一致するとサービス処理の禁止を解除する禁止解除処理と、をデータ処理装置に実行させる。
【００１６】
本発明のデータ処理方法は、データキャリアが付与されている販売商品を購入したエンドユーザに所定のサービス処理を提供するためのデータ処理装置のデータ処理方法であって、データキャリアに販売商品の個体ごとに登録されているサービスＩＤデータを受信するデータ受信工程と、サービスＩＤデータの受信に対応して所定のサービス処理を実行するサービス実行工程と、エンドユーザに携帯されるユーザ携帯端末に登録されている端末ＩＤデータとサービスＩＤデータとを所定のサービス停止要求とともに受信する停止受信工程と、サービス停止要求と端末ＩＤデータとサービスＩＤデータとの受信に対応してサービス処理を禁止するサービス禁止工程と、サービス処理が禁止されている状態でデータキャリアからユーザ携帯端末で取得されたサービスＩＤデータを端末ＩＤデータおよび所定のサービス再開要求とともに受信する再開受信工程と、サービス再開要求とともに受信された端末ＩＤデータおよびサービスＩＤデータがサービス停止要求とともに受信された端末ＩＤデータおよびサービスＩＤデータと一致するとサービス処理の禁止を解除する禁止解除工程と、を有する。
【００１７】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００１８】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１９】
また、本発明のデータ処理方法には複数の工程を順番に記載してあるが、その記載の順番は複数の工程を実行する順番を限定するものではない。このため、本発明のデータ処理方法を実施するときには、その複数の工程の順番は内容的に支障しない範囲で変更することができる。
【００２０】
さらに、本発明のデータ処理方法の複数の工程は個々に相違するタイミングで実行されることに限定されない。このため、ある工程の実行中に他の工程が発生すること、ある工程の実行タイミングと他の工程の実行タイミングとの一部ないし全部が重複していること、等でもよい。
【００２１】
また、本発明で云うデータ処理装置は、コンピュータプログラムを読み取って対応するデータ処理を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定のデータ処理を実行するように構築された専用の論理回路、これらの組み合わせ、等として実施することができる。
【００２２】
なお、本発明でコンピュータプログラムに対応した各種動作をデータ処理装置に実行させることは、各種デバイスをデータ処理装置に動作制御させることなども意味している。
【００２３】
例えば、データ処理装置に各種データを記憶させることは、データ処理装置に固定されているＨＤＤ（Hard Disc Drive）等の情報記憶媒体にＣＰＵが各種データを格納すること、データ処理装置に交換自在に装填されているＣＤ−Ｒ（Compact Disc-Recordable）等の情報記憶媒体にＣＰＵがＣＤドライブで各種データを格納すること、等でよい。
【発明の効果】
【００２４】
本発明のデータ処理装置では、データキャリアに販売商品の個体ごとに登録されているサービスＩＤデータを受信すると、そのサービスＩＤデータの受信に対応して所定のサービス処理を実行する。ただし、エンドユーザに携帯されるユーザ携帯端末に登録されている端末ＩＤデータとサービスＩＤデータとを所定のサービス停止要求とともに受信すると、そのサービス停止要求と端末ＩＤデータとサービスＩＤデータとの受信に対応してサービス処理を禁止する。そして、このようにサービス処理が禁止されている状態でデータキャリアからユーザ携帯端末で取得されたサービスＩＤデータを端末ＩＤデータおよび所定のサービス再開要求とともに受信する。このとき、そのサービス再開要求とともに受信された端末ＩＤデータおよびサービスＩＤデータがサービス停止要求とともに受信された端末ＩＤデータおよびサービスＩＤデータと一致するとサービス処理の禁止を解除する。このため、データキャリアが付与されている販売商品を購入したエンドユーザは所望によりユーザ携帯端末でサービス処理を停止することができるとともに、その停止したサービス処理を所望によりユーザ携帯端末で再開させることができる。従って、エンドユーザが販売商品を持ち歩いているときに、そのサービスＩＤデータが悪意の第三者にスキミングされてサービス処理が不正に利用されることを防止できる。
【発明を実施するための最良の形態】
【００２５】
本発明の実施の一形態を図面を参照して以下に説明する。本実施の形態のデータ処理システム１０００およびデータ処理装置１００は、データキャリア２００が付与されている販売商品ＳＰを購入したエンドユーザに所定のサービス処理を提供するために利用される。
【００２６】
このため、本実施の形態のデータ処理装置１００は、図１に示すように、データキャリア２００から販売商品ＳＰの個体ごとに登録されているサービスＩＤデータＳＩＤを受信するデータ受信部１１０と、サービスＩＤデータＳＩＤの受信に対応して所定のサービス処理を実行するサービス実行部１２０と、エンドユーザに携帯されるユーザ携帯端末３００に登録されている端末ＩＤデータＴＩＤとサービスＩＤデータＳＩＤとを所定のサービス停止要求ＳＳＲとともに受信する停止受信部１３０と、サービス停止要求ＳＳＲと端末ＩＤデータＴＩＤとサービスＩＤデータＳＩＤとの受信に対応してサービス処理を禁止するサービス禁止部１４０と、サービス処理が禁止されている状態でデータキャリア２００からユーザ携帯端末３００で取得されたサービスＩＤデータＳＩＤを端末ＩＤデータＴＩＤおよび所定のサービス再開要求ＳＲＲとともに受信する再開受信部１５０と、サービス再開要求ＳＲＲとともに受信された端末ＩＤデータＴＩＤおよびサービスＩＤデータＳＩＤがサービス停止要求ＳＳＲとともに受信された端末ＩＤデータＴＩＤおよびサービスＩＤデータＳＩＤと一致するとサービス処理の禁止を解除する禁止解除部１６０と、を有する。
【００２７】
そして、本実施の形態のデータ処理システム１０００は、図１および図２に示すように、データ処理装置１００と、サービスＩＤデータＳＩＤが登録されていて販売商品ＳＰに付与されているデータキャリア２００と、データキャリア２００から取得するサービスＩＤデータＳＩＤと登録されている端末ＩＤデータＴＩＤとサービス停止要求ＳＳＲとをデータ処理装置１００に送信するとともに、データキャリア２００から取得するサービスＩＤデータＳＩＤと登録されている端末ＩＤデータＴＩＤとサービス再開要求ＳＲＲとをデータ処理装置１００に送信する、ユーザ携帯端末３００と、を有する。
【００２８】
このため、本実施の形態のデータ処理装置１００の停止受信部１３０は、ユーザ携帯端末３００からサービス停止要求ＳＳＲと端末ＩＤデータＴＩＤとサービスＩＤデータＳＩＤとを受信する。
【００２９】
また、詳細には後述するが、本実施の形態のデータ処理装置１００のサービス実行部１２０は、サービス再開要求ＳＲＲを送信したユーザ携帯端末３００にサービス処理を実行する。
【００３０】
また、データキャリア２００は、例えば、販売商品ＳＰの個体ごとにサービスＩＤデータＳＩＤが登録されているＲＦＩＤチップからなる。このため、ユーザ携帯端末３００は、例えば、ＲＦＩＤリーダが搭載されている携帯電話端末からなる。
【００３１】
さらに、ユーザ携帯端末３００は、データキャリア２００から取得するサービスＩＤデータＳＩＤと登録されている端末ＩＤデータＴＩＤとをデータ処理装置１００にサービス停止要求ＳＳＲとともに送信するかサービス再開要求ＳＲＲとともに送信するかを入力操作に対応して実行する。
【００３２】
本実施の形態のデータ処理装置１００は、例えば、販売商品ＳＰを製造販売する製造メーカのデータベースサーバからなる。このデータ処理装置１００は、実装されているコンピュータプログラムに対応して各種動作を実行することにより、前述のような各部１１０〜が各種機能として論理的に実現されている。
【００３３】
このようなコンピュータプログラムは、例えば、データキャリア２００から販売商品ＳＰの個体ごとに登録されているサービスＩＤデータＳＩＤを受信するデータ受信処理と、サービスＩＤデータＳＩＤの受信に対応して所定のサービス処理を実行するサービス実行処理と、エンドユーザに携帯されるユーザ携帯端末３００に登録されている端末ＩＤデータＴＩＤとサービスＩＤデータＳＩＤとを所定のサービス停止要求ＳＳＲとともに受信する停止受信処理と、サービス停止要求ＳＳＲと端末ＩＤデータＴＩＤとサービスＩＤデータＳＩＤとの受信に対応してサービス処理を禁止するサービス禁止処理と、サービス処理が禁止されている状態でデータキャリア２００からユーザ携帯端末３００で取得されたサービスＩＤデータＳＩＤを端末ＩＤデータＴＩＤおよび所定のサービス再開要求ＳＲＲとともに受信する再開受信処理と、サービス再開要求ＳＲＲとともに受信された端末ＩＤデータＴＩＤおよびサービスＩＤデータＳＩＤがサービス停止要求ＳＳＲとともに受信された端末ＩＤデータＴＩＤおよびサービスＩＤデータＳＩＤと一致するとサービス処理の禁止を解除する禁止解除処理と、をデータ処理装置１００に実行させるように記述されている。
【００３４】
上述のような構成において、本実施の形態のデータ処理システム１０００およびデータ処理装置１００によるデータ処理方法を以下に説明する。まず、販売商品ＳＰを製造販売する製造メーカは、例えば、データ処理装置１００でサービス処理のウェブサイトを開設する。
【００３５】
そして、販売商品ＳＰを購入してデータキャリア２００からサービスＩＤデータを取得すると、上述のウェブサイトで所定のサービス処理が提供されることを宣伝する。このサービス処理は、例えば、携帯電話端末からなるユーザ携帯端末３００で利用できるデジタルコンテンツの提供などとして実行される。
【００３６】
そこで、販売商品ＳＰを購入してサービス処理を要望するエンドユーザは、ユーザ携帯端末３００のＲＦＩＤリーダでＲＦＩＤチップからなるデータキャリア２００からサービスＩＤデータＳＩＤを取得する。
【００３７】
このとき、例えば、このサービスＩＤデータＳＩＤとともにウェブアドレスも取得される。すると、このユーザ携帯端末３００は、取得したウェブアドレスにより、前述のサービス処理のウェブサイトにアクセスする。
【００３８】
すると、図３に示すように、このアクセスを検知したデータ処理装置１００は(ステップＳ１−Ｙ)、ウェブサイトのホームページをユーザ携帯端末３００に提示する(ステップＳ２)。
【００３９】
これでユーザ携帯端末３００で閲覧されるホームページには、例えば、「今すぐサービスを利用する」「サービスを一時停止する」「停止を解除してサービスを利用する」なる三つの操作アイコンが表示出力される(図示せず)。
【００４０】
そこで、エンドユーザが所望によりユーザ携帯端末３００で「今すぐサービスを利用する」を選択操作すると、これを検知したデータ処理装置１００は(ステップＳ３−Ｙ)、ユーザ携帯端末３００で保持されているサービスＩＤデータＳＩＤを取得する(ステップＳ１２)。
【００４１】
そして、このデータ処理装置１００は、そのサービスＩＤデータＳＩＤによるサービス処理が停止されていないことと(ステップＳ１３−Ｎ)、完了していないこととを確認すると(ステップＳ８−Ｎ)、サービスＩＤデータＳＩＤに対応したサービス処理をユーザ携帯端末３００に提供する(ステップＳ９)。
【００４２】
このデータ処理装置１００は、上述のようにサービス処理が完了すると(ステップＳ１０−Ｙ)、このサービス処理の完了をサービスＩＤデータＳＩＤとともに保存する(ステップＳ１１)。
【００４３】
このようにサービス完了が保存されたサービスＩＤデータＳＩＤが再度送信されても(ステップＳ８−Ｙ)、データ処理装置１００は、「本サービスは利用済です」などのエラーガイダンスを返信し、サービス処理を再度実行することはない(ステップＳ１７)。
【００４４】
このため、例えば、販売商品ＳＰを購入して直後にサービス処理を利用したエンドユーザが、その販売商品ＳＰを持ち歩いているときに、そのサービスＩＤデータＳＩＤが悪意の第三者にスキミングされてデータ処理装置１００に送信されても、サービス処理が不正に利用されることはない。
【００４５】
しかし、サービス処理を利用していないエンドユーザが販売商品ＳＰを持ち歩いているときに、そのサービスＩＤデータＳＩＤが悪意の第三者にスキミングされてデータ処理装置１００に送信されると、サービス処理が不正に利用されることになる。
【００４６】
そこで、これを防止するためには、エンドユーザは所望によりユーザ携帯端末３００で「サービスを一時停止する」を選択操作する。すると、これをサービス停止要求ＳＳＲとして検知したデータ処理装置１００は(ステップＳ４)、ユーザ携帯端末３００からサービスＩＤデータＳＩＤとともに端末ＩＤデータＴＩＤを取得する(ステップＳ１４)。
【００４７】
すると、このデータ処理装置１００は、サービス停止要求ＳＳＲとともにサービスＩＤデータＳＩＤと端末ＩＤデータＴＩＤとを保存し(ステップＳ１５)、そのサービスＩＤデータＳＩＤによるサービス処理を一時停止する(ステップＳ１６)。
【００４８】
このような状態でエンドユーザが販売商品ＳＰを持ち歩いているときに、そのサービスＩＤデータＳＩＤが悪意の第三者にスキミングされてデータ処理装置１００に送信することはできる。
【００４９】
より具体的には、正当なエンドユーザの販売商品ＳＰのサービスＩＤデータＳＩＤをスキミングした悪意の第三者が、自身のユーザ携帯端末(図示せず)でホームページの「今すぐサービスを利用する」を選択操作しても、そのサービスＩＤデータＳＩＤのサービス処理は停止されていて利用できない(ステップＳ１３)。
【００５０】
この場合、「本サービスは一時停止されています。「停止を解除してサービスを利用する」を選択してサービスを再開してください」などのエラーガイダンスが返信される(ステップＳ１７)。
【００５１】
そこで、悪意の第三者が、自身のユーザ携帯端末でホームページの「停止を解除してサービスを利用する」を選択操作してサービスＩＤデータＳＩＤと端末ＩＤデータＴＩＤとをデータ処理装置１００に取得させても(ステップＳ６)、その不当な端末ＩＤデータＴＩＤは、そのサービスＩＤデータＳＩＤとともに保存されている正当な端末ＩＤデータＴＩＤと整合しない(ステップＳ７)。
【００５２】
この場合、「端末ＩＤデータが一致しません。本サービスを停止した端末装置で再度アクセスしてください」などのエラーガイダンスが返信される(ステップＳ１７)。つまり、正当なエンドユーザが自身のユーザ携帯端末３００で販売商品ＳＰのサービス処理を停止すれば、その販売商品ＳＰのサービスＩＤデータＳＩＤが悪意の第三者にスキミングされてもサービス処理が不正に利用されることはない。
【００５３】
そして、上述のようにサービス処理を停止したエンドユーザが、サービス処理を利用したいときには、そのユーザ携帯端末３００でデータキャリア２００からウェブアドレスとサービスＩＤデータＳＩＤとを再度取得する。
【００５４】
つぎに、エンドユーザはユーザ携帯端末３００により、上述のウェブアドレスにより閲覧されるホームページの「停止を解除してサービスを利用する」なる操作アイコンを選択操作する。
【００５５】
すると、これをサービス再開要求ＳＲＲとして検知したデータ処理装置１００は(ステップＳ５)、ユーザ携帯端末３００からサービスＩＤデータＳＩＤと端末ＩＤデータＴＩＤとを取得する(ステップＳ６)。
【００５６】
そして、このサービス再開要求ＳＲＲとともに取得したサービスＩＤデータＳＩＤと端末ＩＤデータＴＩＤとが、サービス停止要求ＳＳＲとともに保存されているかを確認する。
【００５７】
この保存が確認されると(ステップＳ７−Ｙ)、そのサービスＩＤデータＳＩＤによるサービス処理が完了していないことも確認してから(ステップＳ８−Ｎ)、サービスＩＤデータＳＩＤに対応したサービス処理をユーザ携帯端末３００に提供する(ステップＳ９)。
【００５８】
以下は前述と同様に、データ処理装置１００は、サービス処理の完了をサービスＩＤデータＳＩＤとともに保存する(ステップＳ１０，Ｓ１１)。このため、サービス完了が保存されたサービスＩＤデータＳＩＤが再度送信されても(ステップＳ８−Ｙ)、サービス処理を再度実行することはない(ステップＳ１７)。
【００５９】
本実施の形態のデータ処理装置１００は、上述のようにデータキャリア２００から販売商品ＳＰの個体ごとに登録されているサービスＩＤデータＳＩＤを受信すると、そのサービスＩＤデータＳＩＤの受信に対応して所定のサービス処理を実行する。
【００６０】
ただし、エンドユーザに携帯されるユーザ携帯端末３００に登録されている端末ＩＤデータＴＩＤとサービスＩＤデータＳＩＤとを所定のサービス停止要求ＳＳＲとともに受信すると、そのサービス停止要求ＳＳＲと端末ＩＤデータＴＩＤとサービスＩＤデータＳＩＤとの受信に対応してサービス処理を禁止する。
【００６１】
そして、このようにサービス処理が禁止されている状態でデータキャリア２００からユーザ携帯端末３００で取得されたサービスＩＤデータＳＩＤを端末ＩＤデータＴＩＤおよび所定のサービス再開要求ＳＲＲとともに受信する。
【００６２】
このとき、そのサービス再開要求ＳＲＲとともに受信された端末ＩＤデータＴＩＤおよびサービスＩＤデータＳＩＤがサービス停止要求ＳＳＲとともに受信された端末ＩＤデータＴＩＤおよびサービスＩＤデータＳＩＤと一致するとサービス処理の禁止を解除する。
【００６３】
このため、販売商品ＳＰを購入したエンドユーザは所望によりユーザ携帯端末３００でサービス処理を停止することができるとともに、その停止させたサービス処理を所望によりユーザ携帯端末３００で再開させることができる。
【００６４】
従って、エンドユーザが販売商品ＳＰを持ち歩いているときに、そのサービスＩＤデータＳＩＤが悪意の第三者にスキミングされてサービス処理が不正に利用されることを防止できる。
【００６５】
しかも、データ処理装置１００は、サービス処理が完了したサービスＩＤデータＳＩＤも保存する。このため、同一のサービスＩＤデータＳＩＤでサービス処理が何度も利用されることも防止できる。
【００６６】
さらに、正当なエンドユーザが販売商品ＳＰを購入した直後にサービス処理を利用すれば、その販売商品ＳＰを持ち歩いているときにサービスＩＤデータＳＩＤが悪意の第三者にスキミングされても、サービス処理が不正に利用されることがない。
【００６７】
さらに、データキャリア２００は、販売商品ＳＰの個体ごとにサービスＩＤデータＳＩＤが登録されているＲＦＩＤチップからなり、ユーザ携帯端末３００がＲＦＩＤリーダでサービスＩＤデータＳＩＤを取得する。このため、ユーザ携帯端末３００が簡単にサービスＩＤデータＳＩＤを取得することができる。
【００６８】
なお、ＲＦＩＤチップは電磁的に非接触にデータ通信するのでスキミングされる可能性が高い。しかし、本実施の形態のデータ処理システム１０００では、上述のようにデータキャリア２００がＲＦＩＤチップからなっても、そのスキミングによるサービス処理の不正利用を簡単に防止することができる。
【００６９】
また、データ処理装置１００は、ユーザ携帯端末３００で閲覧されるウェブサイトにより、サービス処理の禁止や解除を実行する。このため、サービス処理の禁止や解除を実行するために、ユーザ携帯端末３００に特別な機能が必要ない。
【００７０】
なお、本発明は本実施の形態に限定されるものではなく、その要旨を逸脱しない範囲で各種の変形を許容する。例えば、上記形態ではエンドユーザが所持している携帯電話端末などのユーザ携帯端末３００が、データキャリア２００から取得するサービスＩＤデータＳＩＤと登録されている端末ＩＤデータＴＩＤとサービス停止要求ＳＳＲとをデータ処理装置１００に送信するとともに、データキャリア２００から取得するサービスＩＤデータＳＩＤと登録されている端末ＩＤデータＴＩＤとサービス再開要求ＳＲＲとをデータ処理装置１００に送信することを例示した。
【００７１】
しかし、販売商品ＳＰを販売処理するＰＯＳ端末などの販売処理端末(図示せず)が、サービス停止要求ＳＳＲと端末ＩＤデータＴＩＤとサービスＩＤデータＳＩＤとをデータ処理装置１００に送信してもよい。
【００７２】
この場合、例えば、データキャリア２００には、販売処理に必要な商品データも登録されている。そして、販売処理端末は、販売商品ＳＰの販売処理のためにデータキャリア２００から商品データを取得するとともにサービスＩＤデータＳＩＤを取得し、このサービスＩＤデータＳＩＤをサービス停止要求ＳＳＲとともにデータ処理装置１００に送信すればよい。
【００７３】
同様に、上述のような販売処理端末は、例えば、販売商品ＳＰの販売処理のためにユーザ携帯端末３００から取得された端末ＩＤデータＴＩＤを取得することもできる。そこで、このように取得した端末ＩＤデータＴＩＤをサービス停止要求ＳＳＲとともにデータ処理装置１００に送信してもよい。
【００７４】
さらに、本実施の形態ではデータ処理装置１００の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【００７５】
なお、当然ながら、上述した実施の形態および複数の変形例は、その内容が相反しない範囲で組み合わせることができる。例えば、ユーザ端末装置３００がデータ処理装置１００にアクセスすると、最初にデータ処理装置１００がウェブサイトのホームページをユーザ端末装置３００に提示することを例示した。
【００７６】
しかし、ユーザ端末装置３００がデータ処理装置１００にアクセスすると、データ処理装置１００が最初にユーザ端末装置３００からサービス再開要求やサービスＩＤデータＳＩＤ等を取得し、データ整合を確認してからホームページを提示してもよい。
【００７７】
この場合、もしもサービスＩＤデータＳＩＤが第三者にスキミングされても、その第三者がホームページにアクセスすることができない。このため、どのような販売商品ＳＰをエンドユーザＥＹが購入したかのプライバシも保護することができる。
【００７８】
また、上記形態では説明を簡単とするため、データ処理装置１００が一個のハードウェアからなることを例示した。しかし、このデータ処理装置１００が通信ネットワークで接続されている複数のハードウェアからなってもよい(図示せず)。
【００７９】
例えば、販売処理端末３００を所有する複数の販売店舗企業の店舗サーバ、販売商品を販売している複数の商品製造メーカのメーカサーバ、各種のウェブサイトを運営するプロバイダサーバ、上述のようなサービス処理を提供するサービス企業のサービスサーバ、等でデータ処理装置１００が形成されていてもよい(図示せず)。
【００８０】
さらに、上記形態ではユーザ端末装置３００がデータキャリア２００からサービスＩＤデータＳＩＤとともにウェブアドレスも取得し、そのウェブアドレスでウェブサイトにアクセスすることを例示した。
【００８１】
しかし、ユーザ端末装置３００が専用のアプリケーションによりサービスＩＤデータＳＩＤでゲートウェイサーバにアクセスし、このゲートウェイサーバがサービスＩＤデータＳＩＤをウェブアドレスに変換してウェブサーバにアクセスしてもよい(図示せず)。
【００８２】
また、上述した実施の形態および変形例では、各部の構造などを具体的に説明したが、その構造などは本願発明を満足する範囲で各種に変更することができる。また、上述した実施の形態および変形例は、次のような態様を含む。
（付記１）
データキャリアが付与されている販売商品を購入したエンドユーザに所定のサービス処理を提供するためのデータ処理装置であって、
前記データキャリアに前記販売商品の個体ごとに登録されているサービスＩＤ（Identity）データを受信するデータ受信手段と、
前記サービスＩＤデータの受信に対応して所定のサービス処理を実行するサービス実行手段と、
前記エンドユーザに携帯される前記ユーザ携帯端末に登録されている端末ＩＤデータと前記サービスＩＤデータとを所定のサービス停止要求とともに受信する停止受信手段と、
前記サービス停止要求と前記端末ＩＤデータと前記サービスＩＤデータとの受信に対応して前記サービス処理を禁止するサービス禁止手段と、
前記サービス処理が禁止されている状態で前記データキャリアから前記ユーザ携帯端末で取得された前記サービスＩＤデータを前記端末ＩＤデータおよび所定のサービス再開要求とともに受信する再開受信手段と、
前記サービス再開要求とともに受信された前記端末ＩＤデータおよび前記サービスＩＤデータが前記サービス停止要求とともに受信された前記端末ＩＤデータおよび前記サービスＩＤデータと一致すると前記サービス処理の禁止を解除する禁止解除手段と、
を有するデータ処理装置。
（付記２）
前記サービス実行手段は、前記サービス再開要求を送信した前記ユーザ携帯端末に前記サービス処理を実行する付記１に記載のデータ処理装置。
（付記３）
前記停止受信手段は、前記ユーザ携帯端末から前記サービス停止要求と前記端末ＩＤデータと前記サービスＩＤデータとを受信する付記１または２に記載のデータ処理装置。
（付記４）
前記停止受信手段は、前記販売商品を販売処理する販売処理端末から前記サービス停止要求と前記端末ＩＤデータと前記サービスＩＤデータとを受信する付記１に記載のデータ処理装置。
（付記５）
前記販売商品の販売処理のために前記販売処理端末で前記データキャリアから取得された前記サービスＩＤデータを前記サービス停止要求とともに受信する付記４に記載のデータ処理装置。
（付記６）
前記販売商品の販売処理のために前記販売処理端末で前記ユーザ携帯端末から取得された前記端末ＩＤデータを前記サービス停止要求とともに受信する付記４または５に記載のデータ処理装置。
（付記７）
データキャリアが付与されている販売商品を購入したエンドユーザに所定のサービス処理を提供するためのデータ処理システムであって、
付記１ないし６の何れか１つに記載のデータ処理装置と、
付与されている前記販売商品の個体ごとに前記サービスＩＤデータが記録されている前記データキャリアと、
前記データキャリアから取得する前記サービスＩＤデータと登録されている前記端末ＩＤデータと前記サービス再開要求とを前記データ処理装置に送信する前記ユーザ携帯端末と、
を有するデータ処理システム。
（付記８）
データキャリアが付与されている販売商品を購入したエンドユーザに所定のサービス処理を提供するためのデータ処理システムであって、
付記３に記載のデータ処理装置と、
付与されている前記販売商品の個体ごとに前記サービスＩＤデータが記録されている前記データキャリアと、
前記データキャリアから取得する前記サービスＩＤデータと登録されている前記端末ＩＤデータと前記サービス停止要求とを前記データ処理装置に送信するとともに、前記データキャリアから取得する前記サービスＩＤデータと登録されている前記端末ＩＤデータと前記サービス再開要求とを前記データ処理装置に送信する、前記ユーザ携帯端末と、
を有するデータ処理システム。
（付記９）
データキャリアが付与されている販売商品を購入したエンドユーザに所定のサービス処理を提供するためのデータ処理システムであって、
付記６に記載のデータ処理装置と、
付与されている前記販売商品の個体ごとに前記サービスＩＤデータが記録されている前記データキャリアと、
前記販売処理を実行して前記データキャリアから取得する前記サービスＩＤデータと前記ユーザ携帯端末から取得する前記端末ＩＤデータと前記サービス停止要求とを前記データ処理装置に送信する前記販売処理端末と、
前記データキャリアから取得する前記サービスＩＤデータと登録されている前記端末ＩＤデータと前記サービス再開要求とを前記データ処理装置に送信する前記ユーザ携帯端末と、
を有するデータ処理システム。
（付記１０）
前記データキャリアは、前記販売商品ごとに販売処理に必要な商品データも登録されており、
前記販売処理端末は、前記データキャリアから前記商品データを取得するとともに前記サービスＩＤデータも取得する付記９に記載のデータ処理システム。
（付記１１）
前記データキャリアは、前記販売商品の個体ごとに前記サービスＩＤデータが登録されているＲＦＩＤ（Radio Frequency Identification）チップからなる付記７ないし１０の何れか１つに記載のデータ処理システム。
（付記１２）
付記７に記載のデータ処理システムのユーザ携帯端末であって、
前記データキャリアから取得する前記サービスＩＤデータと登録されている前記端末ＩＤデータと前記サービス再開要求とを前記データ処理装置に送信するユーザ携帯端末。
（付記１３）
付記８に記載のデータ処理システムのユーザ携帯端末であって、
前記データキャリアから取得する前記サービスＩＤデータと登録されている前記端末ＩＤデータと前記サービス停止要求とを前記データ処理装置に送信するとともに、前記データキャリアから取得する前記サービスＩＤデータと登録されている前記端末ＩＤデータと前記サービス再開要求とを前記データ処理装置に送信する、ユーザ携帯端末。
（付記１４）
前記データキャリアから取得する前記サービスＩＤデータと登録されている前記端末ＩＤデータとを前記データ処理装置に前記サービス停止要求とともに送信するか前記サービス再開要求とともに送信するかを入力操作に対応して実行する付記１３に記載のユーザ携帯端末。
（付記１５）
付記９に記載のデータ処理システムの販売処理端末であって、
前記販売処理を実行して前記データキャリアから取得する前記サービスＩＤデータと前記ユーザ携帯端末から取得する前記端末ＩＤデータと前記サービス停止要求とを前記データ処理装置に送信する販売処理端末。
（付記１６）
データキャリアが付与されている販売商品を購入したエンドユーザに所定のサービス処理を提供するためのデータ処理装置のコンピュータプログラムであって、
前記データキャリアに前記販売商品の個体ごとに登録されているサービスＩＤデータを受信するデータ受信処理と、
前記サービスＩＤデータの受信に対応して所定のサービス処理を実行するサービス実行処理と、
前記エンドユーザに携帯される前記ユーザ携帯端末に登録されている端末ＩＤデータと前記サービスＩＤデータとを所定のサービス停止要求とともに受信する停止受信処理と、
前記サービス停止要求と前記端末ＩＤデータと前記サービスＩＤデータとの受信に対応して前記サービス処理を禁止するサービス禁止処理と、
前記サービス処理が禁止されている状態で前記データキャリアから前記ユーザ携帯端末で取得された前記サービスＩＤデータを前記端末ＩＤデータおよび所定のサービス再開要求とともに受信する再開受信処理と、
前記サービス再開要求とともに受信された前記端末ＩＤデータおよび前記サービスＩＤデータが前記サービス停止要求とともに受信された前記端末ＩＤデータおよび前記サービスＩＤデータと一致すると前記サービス処理の禁止を解除する禁止解除処理と、
を前記データ処理装置に実行させるコンピュータプログラム。
（付記１７）
データキャリアが付与されている販売商品を購入したエンドユーザに所定のサービス処理を提供するためのデータ処理装置のデータ処理方法であって、
前記データキャリアに前記販売商品の個体ごとに登録されているサービスＩＤデータを受信するデータ受信工程と、
前記サービスＩＤデータの受信に対応して所定のサービス処理を実行するサービス実行工程と、
前記エンドユーザに携帯される前記ユーザ携帯端末に登録されている端末ＩＤデータと前記サービスＩＤデータとを所定のサービス停止要求とともに受信する停止受信工程と、
前記サービス停止要求と前記端末ＩＤデータと前記サービスＩＤデータとの受信に対応して前記サービス処理を禁止するサービス禁止工程と、
前記サービス処理が禁止されている状態で前記データキャリアから前記ユーザ携帯端末で取得された前記サービスＩＤデータを前記端末ＩＤデータおよび所定のサービス再開要求とともに受信する再開受信工程と、
前記サービス再開要求とともに受信された前記端末ＩＤデータおよび前記サービスＩＤデータが前記サービス停止要求とともに受信された前記端末ＩＤデータおよび前記サービスＩＤデータと一致すると前記サービス処理の禁止を解除する禁止解除工程と、
を有するデータ処理方法。
【図面の簡単な説明】
【００８３】
【図１】本発明の実施の形態のデータ処理システムの論理構造を示す模式的なブロック図である。
【図２】データ処理システムの物理構造を示す模式的なブロック図である。
【図３】データ処理装置によるデータ処理方法を示すフローチャートである。
【符号の説明】
【００８４】
１００    データ処理装置
１１０    データ受信部
１２０    サービス実行部
１３０    停止受信部
１４０    サービス禁止部
１５０    再開受信部
１６０    禁止解除部
２００    データキャリア
３００    ユーザ携帯端末
１０００    データ処理システム
ＳＩＤ    サービスＩＤデータ
ＳＰ    販売商品
ＳＲＲ    サービス再開要求
ＳＳＲ    サービス停止要求
ＴＩＤ    端末ＩＤデータ
【図１】
0005146873.tif 000002
【図２】
0005146873.tif 000003
【図３】
0005146873.tif 000004